【手続補正書】
【提出日】平成17年12月27日(2005.12.27)
【手続補正１】
【補正対象書類名】明細書
【補正対象項目名】発明の名称
【補正方法】変更
【補正の内容】
【発明の名称】インクジェット記録装置およびインクジェット記録装置の制御方法
【手続補正２】
【補正対象書類名】明細書
【補正対象項目名】特許請求の範囲
【補正方法】変更
【補正の内容】
【特許請求の範囲】
【請求項１】  記録ヘッドを主走査方向に沿って移動させ且つ、記録媒体を前記主走査方向と交差する副走査方向へと搬送するインクジェット記録装置であって、
前記記録ヘッドの移動可能範囲を検出する移動範囲検出手段と、
前記移動可能範囲が適正範囲にあるか否かを判断する判別手段と、
前記判別手段によって記録ヘッドの移動範囲が適正範囲でないと判断された場合に予め定めた制御を行う制御手段とを備えたことを特徴とするインクジェット記録装置。
【請求項２】  記録ヘッドを主走査方向に沿って移動させ且つ、記録媒体を前記主走査方向と交差する副走査方向へと搬送するインクジェット記録装置であって、
前記記録ヘッドに供給すべきインクを貯留すると共に前記記録ヘッドに対して着脱可能に搭載されるインクタンクと、
前記記録ヘッドに搭載されたインクタンクが記録ヘッドに対して適正に装着されていない場合にのみ前記インクタンクと干渉し前記記録ヘッドの移動範囲を適正移動範囲未満に規制する規制部材と、
前記記録ヘッドの移動範囲が適正移動範囲にあるか否かを判断する判別手段と、
前記移動範囲が適正移動範囲でないと判断された場合に予め定めた制御を行う制御手段とを備えたことを特徴とするインクジェット記録装置。
【請求項３】  前記判別手段は、前記記録ヘッドの移動範囲が適正移動範囲にないと判別したとき、前記記録ヘッドへの前記インクタンクの装着が適正になされているか否かの判別および／または記録ヘッドの移動経路中に記録ヘッドの移動の障害となる障害物が存在するか否かの判断を、前記記録ヘッドの移動可能範囲に従って判別することを特徴とする請求項２に記載のインクジェット記録装置。
【請求項４】  前記制御手段は、前記記録ヘッドの移動範囲が適正移動範囲にないと判別されたとき、その判別結果に基づいて記録ヘッドの移動を行う駆動手段の駆動を停止させると共に、予め定めた告知手段によって判別結果に対応する告知を行うようにしたことを特徴とする請求項１ないし３のいずれかに記載のインクジェット記録装置。
【請求項５】  前記規制部材は、インクジェット記録装置の外装材によって構成されることを特徴とする請求項２ないし４のいずれかに記載のインクジェット記録装置。
【請求項６】  前記記録ヘッドの移動の障害となる障害物は、インクジェット記録装置の梱包保護材であることを特徴とする請求項３ないし５のいずれかに記載のインクジェット記録装置。
【請求項７】  前記記録ヘッドには、主走査方向に沿って複数個のインクタンクが配置され、
前記判別手段は、前記移動可能範囲に基づき適正に装着されていない記録ヘッドの個数を判別することを特徴とする請求項１ないし６のいずれかに記載のインクジェット記録装置。
【請求項８】  前記記録ヘッドには、主走査方向において異なる幅を有する複数種のインクタンクが搭載され、
前記判別手段は、検出した移動可能範囲に基づき、記録ヘッドに対して適正に装着されていない記録ヘッドの種別および／または個数を判別することを特徴とする請求項１ないし７のいずれかに記載のインクジェット記録装置。
【請求項９】  前記告知手段は、インクジェット記録装置本体に設けられた表示装置によって構成され、
前記制御手段は、記録ヘッドの移動可能範囲が適正範囲にないと判別された場合に、前記表示部によって警告表示を実行させることを特徴とする請求項４ないし８のいずれかに記載のインクジェット記録装置。
【請求項１０】  前記告知手段は、インクジェット記録装置本体に接続された外部装置に具備される表示装置であり、
前記制御手段は、記録ヘッドの移動可能範囲が適正範囲にないと判断された場合に、前記表示装置によって警告を発するよう指示する信号を送出することを特徴とする請求項４ないし９のいずれかに記載のインクジェット記録装置。
【請求項１１】  記録ヘッドを主走査方向に沿って移動させ且つ、記録媒体を前記主走査方向と交差する副走査方向へと搬送するインクジェット記録装置の制御方法であって、
前記記録ヘッドの移動可能範囲を検出するステップと、
前記移動可能範囲が適正範囲にあるか否かを判断するステップと、
前記録ヘッドの移動範囲が適正範囲でないと判断された場合に予め定めた制御を行うステップとを備えたことを特徴とするインクジェット記録装置の制御方法。
【手続補正３】
【補正対象書類名】明細書
【補正対象項目名】０００１
【補正方法】変更
【補正の内容】
【０００１】
【発明の属する技術分野】
本発明は、記録ヘッドを主走査方向に移動させると共に、記録媒体を前記主走査方向と交差する副走査方向へと移動させつつ記録動作を行うようにしたいわゆるシリアルプリンタ型のインクジェット記録装置およびその制御方法に関し、特に、インクジェット記録装置の使用状態を正しく検出し得る簡便なインクジェット記録装置およびその制御方法に関するものである。
【手続補正４】
【補正対象書類名】明細書
【補正対象項目名】００１０
【補正方法】変更
【補正の内容】
【００１０】
すなわち、本発明の第１の形態は、記録ヘッドを主走査方向に沿って移動させ且つ、記録媒体を前記主走査方向と交差する副走査方向へと搬送するインクジェット記録装置であって、前記記録ヘッドの移動可能範囲を検出する移動範囲検出手段と、前記移動可能範囲が適正範囲にあるか否かを判断する判別手段と、前記判別手段によって記録ヘッドの移動範囲が適正範囲でないと判断された場合に予め定めた制御を行う制御手段とを備えたことを特徴とする。
本発明の第２の形態は、記録ヘッドを主走査方向に沿って移動させ且つ、記録媒体を前記主走査方向と交差する副走査方向へと搬送するインクジェット記録装置であって、
前記記録ヘッドに供給すべきインクを貯留すると共に前記記録ヘッドに対して着脱可能に搭載されるインクタンクと、前記記録ヘッドに搭載されたインクタンクが記録ヘッドに対して適正に装着されていない場合にのみ前記インクタンクと干渉し前記記録ヘッドの移動範囲を適正移動範囲未満に規制する規制部材と、前記記録ヘッドの移動範囲が適正移動範囲にあるか否かを判断する判別手段と、前記移動範囲が適正移動範囲でないと判断された場合に予め定めた制御を行う制御手段とを備えたことを特徴とする。
本発明の第３の形態は、記録ヘッドを主走査方向に沿って移動させ且つ、記録媒体を前記主走査方向と交差する副走査方向へと搬送するインクジェット記録装置の制御方法であって、前記記録ヘッドの移動可能範囲を検出するステップと、前記移動可能範囲が適正範囲にあるか否かを判断するステップと、前記録ヘッドの移動範囲が適正範囲でないと判断された場合に予め定めた制御を行うステップとを備えたことを特徴とする。
【手続補正５】
【補正対象書類名】明細書
【補正対象項目名】００４８
【補正方法】変更
【補正の内容】
【００４８】
（実施態様１）  記録ヘッドを主走査方向に沿って移動させ且つ、記録媒体を前記主走査方向と交差する副走査方向へと搬送するインクジェット記録装置であって、
前記記録ヘッドの移動可能範囲を検出する移動範囲検出手段と、
前記移動可能範囲が適正範囲にあるか否かを判断する判別手段と、
前記判別手段によって記録ヘッドの移動範囲が適正範囲でないと判断された場合に予め定めた制御を行う制御手段とを備えたことを特徴とするインクジェット記録装置。
【手続補正６】
【補正対象書類名】明細書
【補正対象項目名】００４９
【補正方法】変更
【補正の内容】
【００４９】
（実施態様２）  記録ヘッドを主走査方向に沿って移動させ且つ、記録媒体を前記主走査方向と交差する副走査方向へと搬送するインクジェット記録装置であって、
前記記録ヘッドに供給すべきインクを貯留すると共に前記記録ヘッドに対して着脱可能に搭載されるインクタンクと、
前記記録ヘッドに搭載されたインクタンクが記録ヘッドに対して適正に装着されていない場合にのみ前記インクタンクと干渉し前記記録ヘッドの移動範囲を適正移動範囲未満に規制する規制部材と、
前記記録ヘッドの移動範囲が適正移動範囲にあるか否かを判断する判別手段と、
前記移動範囲が適正移動範囲でないと判断された場合に予め定めた制御を行う制御手段とを備えたことを特徴とするインクジェット記録装置。
【手続補正７】
【補正対象書類名】明細書
【補正対象項目名】００５０
【補正方法】変更
【補正の内容】
【００５０】
（実施態様３）  前記判別手段は、前記記録ヘッドの移動範囲が適正移動範囲にないと判別したとき、前記記録ヘッドへの前記インクタンクの装着が適正になされているか否かの判別および／または記録ヘッドの移動経路中に記録ヘッドの移動の障害となる障害物が存在するか否かの判断を、前記記録ヘッドの移動可能範囲に従って判別することを特徴とする実施態様２に記載のインクジェット記録装置。
【手続補正８】
【補正対象書類名】明細書
【補正対象項目名】００５１
【補正方法】変更
【補正の内容】
【００５１】
（実施態様４）  前記制御手段は、前記記録ヘッドの移動範囲が適正移動範囲にないと判別されたとき、その判別結果に基づいて記録ヘッドの移動を行う駆動手段の駆動を停止させると共に、予め定めた告知手段によって判別結果に対応する告知を行うようにしたことを特徴とする実施態様１ないし３のいずれかに記載のインクジェット記録装置。
【手続補正９】
【補正対象書類名】明細書
【補正対象項目名】００５５
【補正方法】変更
【補正の内容】
【００５５】
（実施態様８）  前記記録ヘッドには、主走査方向において異なる幅を有する複数種のインクタンクが搭載され、
前記判別手段は、検出した移動可能範囲に基づき、記録ヘッドに対して適正に装着されていない記録ヘッドの種別および／または個数を判別することを特徴とする実施態様１ないし７のいずれかに記載のインクジェット記録装置。
【手続補正１０】
【補正対象書類名】明細書
【補正対象項目名】００５６
【補正方法】変更
【補正の内容】
【００５６】
（実施態様９）  前記告知手段は、インクジェット記録装置本体に設けられた表示装置によって構成され、
前記制御手段は、記録ヘッドの移動可能範囲が適正範囲にないと判別された場合に、前記表示部によって警告表示を実行させることを特徴とする実施態様４ないし８のいずれかに記載のインクジェット記録装置。
【手続補正１１】
【補正対象書類名】明細書
【補正対象項目名】００５７
【補正方法】変更
【補正の内容】
【００５７】
（実施態様１０）  前記告知手段は、インクジェット記録装置本体に接続された外部装置に具備される表示装置であり、
前記制御手段は、記録ヘッドの移動可能範囲が適正範囲にないと判断された場合に、前記表示装置によって警告を発するよう指示する信号を送出することを特徴とする実施態様４ないし９のいずれかに記載のインクジェット記録装置。
【手続補正１２】
【補正対象書類名】明細書
【補正対象項目名】００５８
【補正方法】変更
【補正の内容】
【００５８】
（実施態様１１）  記録ヘッドを主走査方向に沿って移動させ且つ、記録媒体を前記主走査方向と交差する副走査方向へと搬送するインクジェット記録装置の制御方法であって、
前記記録ヘッドの移動可能範囲を検出するステップと、
前記移動可能範囲が適正範囲にあるか否かを判断するステップと、
前記録ヘッドの移動範囲が適正範囲でないと判断された場合に予め定めた制御を行うステップとを備えたことを特徴とするインクジェット記録装置の制御方法。